(57)【要約】【課題】異音を発生させることなく糸落ち防止体によって釣糸がスプールとロータとの隙間に落ち込むことを有効に防止できるとともに、糸落ち防止体の係合脱落を防止できる魚釣用スピニングリールの提供を目的としている。【解決手段】本発明は、スプール１０を支持するスプール軸９とロータ８のアーム部２３ａ，２３ｂとの間に係合し且つロータ８の回転に連動して回転すると共にスプール１０に追随して前後動する糸落ち防止体４０を備えた魚釣用スピニングリールにおいて、糸落ち防止体４０は、ロータ８のアーム部２３ａ，２３ｂと係合する係合突部４６を有し、この係合突部４６は、アーム部２３ａ，２３ｂに形成された案内部７０に弾性部材４７を介して係合案内されることを特徴とする。【選択図】    図２
2004208571.tif 000002
【特許請求の範囲】
【請求項１】
ハンドル回転に連動して前後動するスプールと、このスプールに釣糸を巻回するための釣糸案内部が設けられた支持部材を反転自在に支持するアーム部を有するロータと、前記スプールを支持するスプール軸と前記ロータの前記アーム部との間に係合し且つ前記ロータの回転に連動して回転すると共に前記スプールに追随して前後動する糸落ち防止体とを備えた魚釣用スピニングリールにおいて、
前記糸落ち防止体は、前記ロータの前記アーム部と係合する係合突部を有し、この係合突部は、前記アーム部に形成された案内部に弾性部材を介して係合案内されることを特徴とする魚釣用スピニングリール。
【請求項２】
前記弾性部材が前記係合突部に装着されていることを特徴とする請求項１に記載の魚釣用スピニングリール。
【発明の詳細な説明】
【０００１】
【発明の属する技術分野】
本発明は、ハンドルの回転に連動して回転するとともにスプールに釣糸を巻回する釣糸案内部を有するロータを備えた魚釣用スピニングリールの改良に関する。
【０００２】
【従来の技術】
一般に、魚釣用スピニングリールでは、スプールに巻回されている釣糸を放出する時に、スプールの釣糸巻回状態が崩れて釣糸が解れてしまう場合がある。そして、釣糸の巻取り操作時の張力変化や風の影響等に釣糸の撚れの影響が加わって、釣糸がスプールの後側フランジとロータの支持腕との隙間に落ち込んでロータ支持腕や内部のスプール軸に絡み付く不具合が発生し易い。
【０００３】
そこで、これらの不具合を防止するために、スプールとロータの支持腕との間に糸絡み防止体を設けたものが従来から知られている（例えば、特許文献１参照）。
【０００４】
【特許文献１】
実用新案登録第２５３２８６４号
【０００５】
【発明が解決しようとする課題】
特許文献１に開示された技術において、糸絡み防止体としての糸落ち防止具は、スプールとスプール軸との間に設けられており、スプール軸に回転可能に支持されるとともに、スプール軸に追随して前後動するようになっている。この場合、糸落ち防止具の後部の環状部には、径方向外側に突出する係合部が設けられており、また、この係合部は、ロータの支持腕のスプール側対向部に軸方向に沿って形成された凹入係合溝に遊度を以って係合されている。したがって、糸落ち防止具は、ロータの回転に連動して回転しながら、スプールと共に前後動する。
【０００６】
しかしながら、このような構成では、ロータが高速で回転する釣糸巻取操作時に、糸落ち防止具もロータと共に高速で連動回転しながらスプールに追随して前後動するため、糸落ち防止具の係合部とロータの支持腕の凹入係合溝との係合遊度や、前後動時の摺動状態等の影響により、異音が発生する。
【０００７】
また、糸落ち防止具の係合部をロータの支持腕の凹入係合溝に係合させて回転させながら前後動させる構成上、比較的大きな係合遊度（回転方向のガタ）が必要であり、この遊度の影響により、巻取り操作時（特に、巻取り速度が急激に変化する時）に係合部が凹入係合溝から脱外してしまう不具合が発生し易い。
【０００８】
本発明は前記事情に着目してなされたものであり、その目的とするところは、異音を発生させることなく糸落ち防止体によって釣糸がスプールとロータとの隙間に落ち込むことを有効に防止できるとともに、糸落ち防止体の係合脱落を防止できる魚釣用スピニングリールを提供することにある。
【０００９】
【課題を解決するための手段】
前記課題を解決するために、本発明は、ハンドル回転に連動して前後動するスプールと、このスプールに釣糸を巻回するための釣糸案内部が設けられた支持部材を反転自在に支持するアーム部を有するロータと、前記スプールを支持するスプール軸と前記ロータの前記アーム部との間に係合し且つ前記ロータの回転に連動して回転すると共に前記スプールに追随して前後動する糸落ち防止体とを備えた魚釣用スピニングリールにおいて、前記糸落ち防止体は、前記ロータの前記アーム部と係合する係合突部を有し、この係合突部は、前記アーム部に形成された案内部に弾性部材を介して係合案内されることを特徴とする。
【００１０】
【発明の実施の形態】
以下、図面を参照しつつ本発明の実施形態について説明する。
【００１１】
図１〜図３は本発明の一実施形態を示している。図１に示されるように、本実施形態の魚釣用スピニングリール１は、リール本体１ａと、リール本体１ａから延出する脚部１ｂと、脚部１ｂの端部に形成され且つ釣竿に取り付けられる竿取付部１ｃとを有している。リール本体１ａ内には、ハンドル（図示せず）が固定されるハンドル軸２が回転可能に支持されている。ハンドル軸２にはドライブギア３が固定されており、このドライブギア３にはピニオンギア１３が噛合している。
【００１２】
ピニオンギア１３は、ハンドル軸２に対して直交する方向に延び且つリール本体１ａに軸受６０を介して回転可能に支持された軸筒６２に設けられている。また、軸筒６２の先端部にはロータ８が一体的に取り付けられている。ロータ８には一対の第１および第２の支持アーム２３ａ，２３ｂが設けられており、各支持アーム２３ａ，２３ｂの前端部には、ベール６の各端部が取り付けられた第１および第２のベール支持部材２４ａ，２４ｂが、図示しない振り分け機構を介して釣糸巻取位置と釣糸放出位置とに振り分け保持されるよう回動自在に支持されている。なお、ベール６の一方の端部は、第１の支持部材２４ａに一体的に設けられた釣糸案内部１５に取り付けられている。
【００１３】
ハンドル軸２と直交する方向に延在するスプール軸９が軸筒６２を貫通している。この場合、スプール軸９は、軸筒６２と同心的に配されており、ハンドル軸２と直交する方向に沿って前後動できる。また、スプール軸９の先端部には釣糸が巻回されるスプール１０が取り付けられている。
【００１４】
スプール１０は、実際に釣糸が巻回される巻回胴部１０ａと、巻回された釣糸の前側を規制する前側フランジ部１０ｂと、釣糸の後側を規制する後側フランジ部１０ｃとを備えており、スプール軸９に、ドラグノブ３０を介して取り付けられている。
【００１５】
また、本実施形態の魚釣用スピニングリール１には、ハンドルの回転に伴ってスプール１０を前後動させるためのオシレーティング機構（往復動機構）６５が設けられている。このオシレーティング機構６５は、スプール軸９と平行に配置され且つ軸受部を介してリール本体１ａに回転可能に支持されたトラバースカム軸（ウォームシャフト）５２と、スプール軸９の後端に止めネジ９０によって固定され且つトラバースカム軸５２のカム溝５９に沿って前後方向に摺動する摺動体５４とを備えている。トラバースカム軸５２は、ギヤ５６を介してピニオン１３に連結されており、一方、摺動体５４には、トラバースカム軸５２に常時係合する係合ピン５８が設けられている。
【００１６】
したがって、このような構成では、ハンドルの回転操作によってドライブギア３を介してピニオン１３を回転させると、軸筒６２を介してロータ８が回転駆動するとともに、ピニオン１３に噛合したギヤ５６が回転し、このギヤ５６の回転と共にトラバースカム軸５２も回転する。この時、トラバースカム軸５２のカム溝５９に係合した係合ピン５８がトラバースカム軸５２の回転に伴って前後動することにより、摺動体５４がトラバースカム軸５２に沿って前後動する。この結果、この摺動体５４に止めネジ９０を介して連結しているスプール軸９が前後動する。したがって、スプール１０の巻回胴部１０ａには、釣糸案内部１５を介して、釣糸が均等に巻回される。
【００１７】
また、本実施形態の魚釣用スピニングリール１には、釣糸がスプール１０の後側フランジ部１０ｃとロータ８の支持アーム２３ａ，２３ｂとの間の隙間に落ち込んで支持アーム２３ａ，２３ｂやリール本体内部のスプール軸９に絡み付くことを防止する糸落ち防止体４０が設けられている。
【００１８】
この糸落ち防止体４０は、スプール軸９とロータ８の支持アーム２３ａ，２３ｂとの間に係合している。具体的には、図２および図３に明確に示されるように、糸落ち防止体４０は、軸受７２を介してスプール軸９の外周に回転可能に支持される環状の基端部４５と、スプール１０の後側フランジ部１０ｃの内側でこの後側フランジ部１０ｃの形状に沿って近接して軸方向に延びる第１の環状部４１と、後側フランジ部１０ｃの端縁と近接して対向するように第１の環状部４１から径方向に延びる壁状部４３と、壁状部４３を介して第１の環状部４１に連なり且つスプール１０の後側フランジ部１０ｃとロータ８との間に形成される軸方向の隙間を部分的に埋めるように後側フランジ部１０ｃの端縁から軸方向に延びる第２の環状部４２と、第１の環状部４１と環状の基端部４５とを接続する複数（本実施形態では、３本）の継ぎフレーム４４とから成る。
【００１９】
また、各支持アーム２３ａ，２３ｂと対向する第２の環状部４２の部位（２ヶ所）にはそれぞれ、各支持アーム２３ａ，２３ｂの内側面（第２の環状部４２と対向する側の面）に形成された凹状の溝（案内部）７０に係合する係合突起（係合突部）４６が突設されている。これらの係合突起４６は、第２の環状部４２の周方向に互いに略１８０度の角度間隔をもって位置されており、第２の環状部４２の端縁から径方向に突出するとともに、スプール１０の後側フランジ部１０ｃとロータ８の支持アーム２３ａ，２３ｂとの間に形成される径方向の隙間を埋めるように延びている。
【００２０】
また、糸落ち防止体４０の基端部４５は、位置決めワッシャ７１によって、スプール軸９に対する軸方向の移動が規制されている。したがって、糸落ち防止体４０は、スプール軸９と一体で（追随して）前後に移動するとともに、係合突起４６を介して係合するロータ８の回転に連動してスプール軸９に対して回転できる。なお、係合突起４６と係合する各支持アーム２３ａ，２３ｂの凹状の溝７０は、スプール軸９の前後動に伴う糸落ち防止体４０の軸方向移動を許容するべく、各支持アーム２３ａ，２３ｂの軸方向（長手方向）に沿って延びている。
【００２１】
また、係合突起４６の外周面には環状の係合溝４８が形成されており、この係合溝４８には弾性部材としてのＯリング４７が脱着自在に装着されている（係合溝４９からＯリング４７を取り外した状態が図３の拡大円形枠内に二点鎖線で示されている）。すなわち、本実施形態において、係合突起４６は、Ｏリング４７を介して各支持アーム２３ａ，２３ｂの凹状の溝７０に係合されるとともに、Ｏリング４７と溝７０との弾性的な係合によってその軸方向の移動が案内される。特に、本実施形態では、係合突起４６の滑らかな軸方向移動を実現できる接触圧でＯリング４７と溝７０の内面とが接触し、あるいは、係合突起４６の滑らかな軸方向移動を実現するための極僅かな隙間のみがＯリング４７と溝７０の内面との間に形成される。
【００２２】
次に、上記構成の作用について説明する。
【００２３】
まず、ハンドルを回転操作すると、ドライブギア３を介してピニオン１３および軸筒６２が回転し、軸筒６２に固定されたロータ８が回転するとともに、オシレーティング機構６５を介してスプール軸９が前後動する。この時、糸落ち防止体４０は、スプール軸９に取り付けられているためスプール軸９と一体で前後動するとともに、係合突起４６を介してロータ８とも係合していることから、ロータ８と共に回転する。また、この時、支持アーム２３ａ，２３ｂの凹状の溝７０に係合する係合突起４６は、溝７０の壁面を介してロータ８から周方向（回転方向）で力を受けながら、溝７０に沿って軸方向に移動するが、弾性部材としてのＯリング４７によって移動時のガタ付き（周方向のガタ）が吸収されるため、異音を発生させることはない。この場合、Ｏリング４７が係合溝４８に係止されて係合突起４６から外れにくくなっていることは、異音発生防止に大きく寄与する。すなわち、Ｏリング４７によって溝７０と係合突起４６との間のクリアランスが常に一定に保たれるため、これが回転方向のガタを防止して、異音の発生を防止する。また、Ｏリング４７の介在により、係合突起４６を溝７０との係合遊度を少なくして案内できるため、巻取り操作中に係合突起４６と溝７０との係合が解除されてしまうこともない。
【００２４】
また、このような巻取り操作中において、糸落ち防止体４０は、釣糸がスプール１０の後側フランジ部１０ｃとロータ８の支持アーム２３ａ，２３ｂとの間の隙間に落ち込んで支持アーム２３ａ，２３ｂやリール本体内部のスプール軸９に絡み付くことを防止する。具体的には、第１の環状部４１がスプール１０の後側フランジ部１０ｃの内側でこの後側フランジ部１０ｃの形状に沿って近接して軸方向に延び、また、壁状部４３が後側フランジ部１０ｃの端縁と近接して対向するように第１の環状部４１から径方向に延び、更に、壁状部４３を介して第１の環状部４１に連なる第２の環状部４２がスプール１０の後側フランジ部１０ｃとロータ８との間に形成される軸方向の隙間を部分的に埋めるように後側フランジ部１０ｃの端縁から軸方向に延びるとともに、係合突起４６が第２の環状部４２の端縁から径方向に突出してスプール１０の後側フランジ部１０ｃとロータ８の支持アーム２３ａ，２３ｂとの間に形成される径方向の隙間を埋めるように延びているため、スプール１０の後側フランジ部１０ｃと支持アーム２３ａ，２３ｂとの間の隙間に入り込もうとする釣糸は、内側へのそれ以上の侵入が確実に阻止される。
【００２５】
以上説明したように、本実施形態の魚釣用スピニングリール１は、弾性部材としてのＯリング４７を介して、ロータ８の支持アーム２３ａ，２３ｂに形成された案内部としての溝７０に糸落ち防止体４０の係合突起４６が係合案内される構成であるため、回転しながら前後動する際の異音発生を確実に防止できる。また、糸落ち防止体４０とロータ８の支持アーム２３ａ，２３ｂに形成された案内溝７０との係合遊度を少なく形成（弾性作用による寸法バラツキの吸収作用）して案内できるため、巻取り操作中の糸落ち防止体４０の係合脱落を防止できる。
【００２６】
また、本実施形態の魚釣用スピニングリール１によれば、糸落ち防止体４０の係合突起４６にＯリング４７を装着して弾性案内できるため、簡素な構成で取り扱いが容易であり、脱落のない糸落ち防止体４０の係合部を構成できる。
【００２７】
図４には、前述した実施形態の変形例が示されている。前述した実施形態では、係合突起４６にＯリング４６が装着されているが、この変形例では、支持アーム２３ａ，２３ｂの溝７０に弾性部材８０が設けられている。この場合、弾性部材８０は、溝７０の両側壁にそれぞれ軸方向に沿って形成された凹溝８１に装着されており、支持アーム２３ａ，２３ｂの長手方向に沿って延在している。また、本変形例において、糸落ち防止体４０の第１の環状部４１は、スプール１０の後側フランジ部１０ｃから所定の間隔をもって離間しているが、その代わり、第１の環状部４１には、スプール１０の後側フランジ部１０ｃの内面に近接して対向する環状突出部８３が径方向に突設されている。なお、それ以外の構成は、前述した実施形態と同様であるため、同一符号を付してその説明を省略する。
【００２８】
したがって、この変形例の構成によれば、前述した実施形態と同様の効果が得られると同時に、係合突起４６に溝を設けずに済むため、係合突起４６を高い強度に維持でき、糸落ち防止体４０に多大な負荷が加わっても、係合突起４６の保護を図ることができる。
【００２９】
【発明の効果】
以上説明したように、本発明の魚釣用スピニングリールによれば、異音を発生させることなく糸落ち防止体によって釣糸がスプールとロータとの隙間に落ち込むことを有効に防止できるとともに、糸落ち防止体の係合脱落を防止できる。
【図面の簡単な説明】
【図１】本発明の一実施形態に係る魚釣用スピニングリールの側断面図である。
【図２】図１の魚釣用スピニングリールの要部拡大断面図である。
【図３】図１の魚釣用スピニングリールの糸落ち防止体の斜視図である。
【図４】変形例に係る魚釣用スピニングリールの要部拡大断面図である。
【符号の説明】
１…魚釣用スピニングリール
８…ロータ
９…スプール軸
１０…スプール
２３ａ，２３ｂ…支持アーム（アーム部）
４０…糸落ち防止体
４６…係合突起（係合突部）
４７…Ｏリング（弾性部材）
７０…溝（案内部）
【図１】
2004208571.tif 000003
【図２】
2004208571.tif 000004
【図３】
2004208571.tif 000005
【図４】
2004208571.tif 000006